(57)【要約】【課題】店舗の特売広告商品の情報と、口コミ情報提供者からの口コミ情報提供を移動体通信端末あるいは情報通信端末で自動的に取得する。【解決手段】利用者の移動体通信端末１１あるいは情報通信端末１２で口コミ情報のフィルタを意味情報ネットワーク５に設定する。口コミ情報提供者の口コミ情報と店舗４の商品広告情報を口コミ情報提供者端末２、広告配信装置３からイベントとして意味情報ネットワーク５に送信する。口コミ情報イベントが通過したフィルタは発火し、利用者の移動体通信端末１１あるいは情報通信端末１２で自動受信し、口コミ情報のフィルタを登録し、口コミ情報の要求イベントを自動送信し、口コミ情報を自動取得する。【選択図】  図１
2004310589.tif 000002
【特許請求の範囲】
【請求項１】
意味情報ネットワークと、
口コミ情報提供者の口コミ情報をイベントとして前記意味情報ネットワークに送信し、該口コミ情報を受信する条件をフィルタとして前記意味情報ネットワークに設定する口コミ情報提供者端末と、
店舗の商品広告情報をイベントとして前記意味情報ネットワークに送信する広告配信装置と、
要求する口コミ情報および商品広告情報をフィルタとして前記意味情報ネットワークに設定し、前記フィルタが発火して前記フィルタを通過した前記口コミ情報と前記商品広告情報を自動受信する利用者端末を有する、意味情報ネットワークを用いた口コミ情報収集システム。
【請求項２】
意味情報ネットワークと、口コミ情報提供者の口コミ情報をイベントとして前記意味情報ネットワークに送信し、該口コミ情報を受信する条件をフィルタとして前記意味情報ネットワークに設定する口コミ情報提供者端末と、店舗の商品広告情報をイベントとして前記意味情報ネットワークに送信する広告配信装置と、要求する口コミ情報および商品広告情報をフィルタとして前記意味情報ネットワークに設定し、前記フィルタが発火して前記フィルタを通過した前記口コミ情報と前記商品広告情報を自動受信する利用者端末を有する、意味情報ネットワークを用いた口コミ情報収集システムにおける口コミ情報収集方法であって、
前記利用者端末が、利用者が要求する商品広告情報をフィルタとして前記意味情報ネットワークに設定するステップと、
前記口コミ情報提供者端末および前記広告配信装置が、それぞれ口コミ情報、店舗の商品広告情報をイベントとして前記意味情報ネットワークに送信するステップと、
前記口コミ情報提供者端末が、口コミ情報を受信する条件をフィルタとして前記意味情報ネットワークに設定するステップと、
発火したフィルタを通過した商品広告情報を前記利用者端末が自動受信するステップと、
前記利用者端末が、利用者が要求する口コミ情報をフィルタとして前記意味情報ネットワークに設定するステップと、
前記利用者端末が、口コミ情報を要求する口コミ情報要求イベントで前記意味情報ネットワークに送信するステップと、
発火したフィルタを通過した口コミ情報を前記口コミ提供者端末が自動受信し、口コミ情報をイベントとして前記意味情報ネットワークに送信するステップと、
発火したフィルタを通過した口コミ情報を前記利用者端末が自動受信するステップを有する、意味情報ネットワークを用いた口コミ情報収集方法。
【請求項３】
口コミ情報提供者の口コミ情報をイベント情報として意味情報ネットワークに送信する手段と、口コミ情報の意味情報をフィルタとして前記意味情報ネットワークに設定する手段を有する口コミ情報提供者端末。
【請求項４】
店舗の商品広告情報をイベントとして意味情報ネットワークに送信する手段を有する広告配信装置。
【請求項５】
要求する口コミ情報および商品広告情報をフィルタとして意味情報ネットワークに設定する手段と、口コミ情報の取得を要求する口コミ情報要求イベントを自動送信する手段と、前記フィルタが発火して前記フィルタを通過した前記口コミ情報と前記商品広告情報を自動受信する手段を有する利用者端末。
【発明の詳細な説明】
【０００１】
【発明の属する技術分野】
本発明は口コミ情報の収集システムに関する。
【０００２】
【従来の技術】
従来、スーパー等の店舗は、特売商品の広告チラシ等を毎日新聞などに差し込んで利用者に特売の商品情報を提供している。また、利用者は特売の商品情報あるいは店舗のイベント情報などの多くの口コミ情報をもっている口コミ情報提供者から口コミ情報を取得し、特売の商品および店舗のイベント情報等の口コミ情報収集をしている。
【０００３】
先行技術文献として、特許文献１、特許文献２、特許文献３がある。
【０００４】
特許文献１は、口コミ情報を利用する際に登録メンバー制を採用し、氏名の登録が必要であり、かつ商品評価情報収集システムをサーバで運用する必要がある。特許文献２は、情報の読み出し、および書き込みの情報掲示板サーバとユーザに対し課金をする課金サーバ必要であり、かつ、サーバ内情報掲示板のためにユーザは、情報の読み出しおよび書き込みで課金され、情報を取得する。特許文献３は、各ユーザのカードＩＤで商品の消費者の評価を得るシステムであるが、サーバが必要であり、ユーザのカードＩＤを利用している。
【０００５】
【特許文献１】
特開２００２―７８５５号公報
【特許文献２】
特開２００２―８２８７０号公報
【特許文献３】
特開２００２―１２３７４８号公報
【０００６】
【発明が解決しようとする課題】
上述した従来のシステムでは、利用者は店舗の特売広告商品の情報と、口コミ情報提供者からの口コミ情報を移動体通信端末あるいは情報通信端末で自動的に取得することができなかった。
【０００７】
本発明の目的は、利用者が店舗の特売広告商品の情報と、口コミ情報提供者からの口コミ情報を移動体通信端末あるいは情報通信端末で自動的に取得することができる口コミ情報収集システムを提供することにある。
【０００８】
【課題を解決するための手段】
本発明の口コミ情報収集システムは、意味情報ネットワークと、口コミ情報提供者の口コミ情報をイベントとして前記意味情報ネットワークに送信し、該口コミ情報を受信する条件をフィルタとして意味情報ネットワークに送信する口コミ情報提供者端末と、店舗の商品広告情報をイベントとして意味情報ネットワークに送信する広告配信装置と、要求する口コミ情報および商品広告情報をフィルタとして意味情報ネットワークに設定し、フィルタが発火してフィルタを通過した口コミ情報と商品広告情報を自動受信する利用者端末を有する。
【０００９】
口コミ情報提供者端末、利用者端末は、それぞれ口コミ情報提供者、利用者が要求する口コミ情報および商品広告情報をフィルタとして意味情報ネットワークに設定する。口コミ情報提供者端末および広告配信装置は、それぞれ口コミ情報提供者、店舗の商品広告情報をイベントとして意味情報ネットワークに送信する。発火したフィルタを通過した口コミ情報および商品広告情報を利用者端末で自動受信する。
【００１０】
本発明は、利用者が欲しい特売など商品広告情報や店舗などの口コミ情報を意味情報ネットワークにフィルタ設定し、イベント情報と発火し、店舗の特売商品情報と口コミ提供者の情報を自動的に取得するものである。
【００１１】
なお、意味情報ネットワークについては特開２００２−２５９６３１号公報等に開示されている。
【００１２】
【発明の実施の形態】
次に、本発明の実施の形態について図面を参照して説明する。
【００１３】
図１は本発明の一実施形態の意味情報ネットワークを用いた口コミ情報収集システムの構成を示している。
【００１４】
本口コミ情報収集システムは利用者端末１と口コミ情報提供者端末２と店舗（スーパーを含む）４の広告配信装置３と意味情報ネットワーク（ＳＩＯＮｅｔ）５とＩＰ通信網６で構成されている。
【００１５】
口コミ情報提供者端末２は移動体通信端末（携帯電話）１１または情報通信端末１２からなり、口コミ情報提供者の口コミ情報をイベント情報としてＳＩＯＮｅｔ５に送信する機能を有している。広告配信装置３は店舗４の特売商品の商品名を意味情報、価格をデータ部として構成するイベント情報をＳＩＯＮｅｔ５に送信する機能を有している。利用者端末１は移動体通信端末（携帯電話）１１または情報通信端末１２からなり、利用者が意味情報のメタデータとして欲しい口コミ情報をフィルタとしてＳＩＯＮｅｔ５に設定し、フィルタが発火してフィルタを通過した口コミ情報と広告情報を自動受信する機能を有している。
【００１６】
ＳＩＯＮｅｔ５はイベント受信者が登録したフィルタに対して、イベント送信者が送出したイベントを照合（フィルタリング）させるための自律分散協調型ネットワークである。
【００１７】
利用者端末１、口コミ情報提供者端末２、および店舗４の広告配信装置３には、ＳＩＯＮｅｔソフトウェアが内蔵されている。
【００１８】
図２および図３は本口コミ情報収集システムの動作例を示すフローチャートである。
【００１９】
利用者は欲しい情報「大根」を利用者端末１の携帯電話１１あるいは情報通信端末１２に入力し（ステップ１０１）、利用者端末１はＳＩＯＮｅｔ５に意味情報として「商品＝大根」をフィルタとして登録し、ＳＩＯＮｅｔ５に設定する（ステップ１０２）。店舗４の広告配信装置３は、特売商品広告の意味情報を「商品＝大根」とし、データ部を「○○店舗」「大根１本百円」として、イベントとしてＳＩＯＮｅｔ５に送信する（ステップ１０３）。店舗４のイベントと、利用者端末１で送信されたフィルタの意味情報「商品＝大根」はＳＩＯＮｅｔ５内で発火し（ステップ１０４）、利用者端末１は意味情報の「商品＝大根」とデータ部の「○○店舗」「大根１本百円」をイベントとして受信することが可能である（ステップ１０５）。口コミ情報提供者は、店舗４の口コミ情報の意味情報「店＝○○店舗」とデータ部「安くて品質の良い店」をイベントとして口コミ情報提供者端末２でＳＩＯＮｅｔ５に送信し（ステップ１０６）、かつ口コミ情報の意味情報「口コミ＝○○店舗」をフィルタとして登録し、ＳＩＯＮｅｔ５に設定する（ステップ１０７）。利用者端末１はＳＩＯＮｅｔソフトウェアが内蔵されているので口コミ情報のフィルタおよびイベント情報の自動設定が可能であり、利用者端末１で受信したイベントのデータ部にある「○○店舗」「大根１本百円」を自動設定し、店舗４の口コミ情報を取得するために意味情報として「店＝○○店舗」をフィルタとしてＳＯＮｅｔ５に登録し、設定し（ステップ１０８）、口コミ情報取得の処理をし、口コミ提供者の口コミ情報を取得するために、要求する口コミ情報を意味情報「口コミ＝○○店舗」をイベントとしてＳＩＯＮｅｔ５に自動送信する（ステップ１０９）。ＳＩＯＮｅｔ５内で口コミ情報提供者端末２からの意味情報「口コミ＝○○店舗」はフィルタで発火し（ステップ１１０）、口コミ情報提供者端末２に自動返信する。口コミ情報提供者端末２は口コミ情報の意味情報の「店＝○○店舗」、データ部の「安くて品質の良い店」をイベントとしてＳＩＯＮｅｔ５に送信する（ステップ１１１）。ＳＩＯＮｅｔ５内で利用者の意味情報「口コミ＝○○店舗」イベントと発火し（ステップ１１２）、利用者端末１は意味情報「店＝○○店舗」、データ部「安くて品質の良い店」のイベント情報を受信し、口コミ提供者の情報を自動的に取得することが可能である（ステップ１１３）。以後ステップ１０６、１０７、１１２、１１３と同じ処理が繰り返される。
【００２０】
このように、利用者は、ＳＩＯＮｅｔ５を用いて欲しい情報の意味情報「大根」を利用者端末１に入力するだけで店舗４からの欲しい広告商品情報と、口コミ情報提供者の提供情報を収集して自動的に取得することが可能である。
【００２１】
【発明の効果】
以上説明したように、本発明は下記の効果がある。
【００２２】
・利用者はＳＩＯＮｅｔを用いることにより、要求する店舗の特売など商品広告情報を自動的に取得することが可能であり、かつ商品広告情報と同時に多くの口コミ情報を持っている他の利用者から自動的に口コミ情報を取得することが可能なため、利用者がわざわざ他の利用者の口コミ情報を聞き回る必要がない。
【００２３】
・店舗は、特売など商品広告あるいは店のイベント情報などのやり取りが利用者と口コミ情報提供者間でＳＩＯＮｅｔを用いて自動的に行うことができるため、安くて良い商品を発売すれば広告宣伝費をかけてチラシ等広告を出さなくても宣伝効果が可能となり、売り上げと利益増となる。
【００２４】
・ＳＩＯＮｅｔを用いて企業などのイベント情報や企業情報公開等も利用者は自動的に取得して情報を活用することが可能であり、企業は社内サーバを持たなくてもコストをかけることなく複数の利用者に企業情報の一般公開をすることが可能である。
【図面の簡単な説明】
【図１】本発明の一実施形態の口コミ情報収集システムの構成図である。
【図２】図１の口コミ情報収集システムの動作例を示すシーケンス図である。
【図３】図１の口コミ情報収集システムの動作例を示すシーケンス図である。
【符号の説明】
１    利用者端末
２    口コミ情報提供者端末
３    広告配信装置
４    店舗
５    意味情報ネットワーク（ＳＩＯＮｅｔ）
６    ＩＰ通信網
１１、２１    移動体通信端末
１２、２２    情報通信端末
１０１〜１１３    ステップ
【図１】
2004310589.tif 000003
【図２】
2004310589.tif 000004
【図３】
2004310589.tif 000005